【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  基地局装置と直接無線通信を行う送受信手段と、前記基地局装置の通信エリア外に位置する他の移動局装置と直接通信し前記基地局装置と前記他の移動局装置とのデータ送受信の中継を行うとともに、前記送受信手段の使用時間外にのみ動作し、前記使用時間外に前記中継が可能であることを前記基地局装置に通知する中継送受信手段と、を具備することを特徴とする移動局装置。
【請求項２】  基地局装置と直接無線通信を行う送受信手段と、前記基地局装置の通信エリア外に位置する他の移動局装置と直接通信し前記基地局装置と前記他の移動局装置とのデータ送受信の中継を行うとともに、異なる通信スロットを使用して、同時に複数の他の移動局装置と前記基地局装置とのデータ送受信の中継を行う中継送受信手段と、を具備することを特徴とする移動局装置。
【請求項３】  基地局装置と直接無線通信を行う送受信手段と、前記基地局装置の通信エリア外に位置する他の移動局装置と直接通信し前記基地局装置と前記他の移動局装置とのデータ送受信の中継を行うとともに、同一通信スロットを分割使用して、同時に複数の他の移動局装置と前記基地局装置とのデータ送受信の中継を行う中継送受信手段と、を具備することを特徴とする移動局装置。
【請求項４】  前記中継送受信手段は、まず、基地局とフレーム同期を確立した後、他の移動局とのフレーム同期を取ることを特徴とする請求項１記載から請求項３のいずれかに記載の移動局装置。
【請求項５】  前記中継送受信手段は、各通信フレーム内に設けられたアクセス用スロットのパターンを検出することにより、フレーム同期を取ることを特徴とする請求項４記載の移動局装置。
【請求項６】  通信可能な基地局装置がない場合に、通信可能な請求項１記載の移動局装置を探索し、探索した移動局装置を中継して他の基地局装置との通信を行うことを特徴とする移動局装置。
【請求項７】  移動局装置と直接無線通信を行う送受信手段と、通信エリア外に位置する他の移動局装置と直接通信し前記他の移動局装置とのデータ送受信の中継を行う移動局装置を探索する探索手段と、探索した移動局装置を中継して他の移動局装置との通信を行うことを特徴とする基地局装置。
【請求項８】  基地局装置と移動局装置とが直接無線通信を行う一方、前記無線通信時間外に、前記移動局装置は前記基地局装置に対してデータ送受信の中継が可能であることを前記基地局装置に通知し、前記基地局と前記移動局装置との間に通信回線を確立しフレーム同期を取った後、前記移動局装置と前記基地局装置の通信エリア外に位置する他の移動局装置とが直接通信し前記基地局装置と前記他の移動局装置とのデータ送受信の中継を行う、ことを特徴とする中継無線送受信方法。
【請求項９】  前記基地局装置と前記他の移動局装置との間に複数の移動局装置を中継局として介在させ、前記複数の移動局装置間で順次フレーム同期を取り、前記基地局装置と前記他の移動局装置との通信を行うことを特徴とする請求項８記載の中継無線送受信方法。
【請求項１０】  前記移動局装置は、前記基地局装置及び前記他の移動局装置との間のデータ送受信の際に直交周波数分割多重処理を行うことを特徴とする請求項８又は請求項９記載の中継無線送受信方法。
【請求項１１】
前記直交周波数分割多重処理は、前記移動局装置からの送信成分を受信成分から除去した信号に対して行われることを特徴とする請求項１０記載の中継無線送受信方法。
【請求項１２】  中継局機能を提供した場合に、通常の通話について発生する課金を減算することを特徴とする請求項８から請求項１１のいずれかに記載の中継無線送受信方法。
【請求項１３】  前記中継送受信手段は、中継データを受信する通信スロットが、特定の単位時間内において、中継データを送信する通信スロットよりも前に設けられるようにスロットを割り当てることを特徴とする請求項１から請求項６のいずれかに記載の移動局装置。
【請求項１４】  前記中継送受信手段は、同一通信スロットを分割使用して、同一通信スロット内で中継データの送受信を行うことを特徴とする請求項１から請求項６又は請求項１３のいずれかに記載の移動局装置。
【請求項１５】  前記中継送受信手段は、中継データを受信してから送信するまでの間に前記中継データを蓄積する蓄積部を有し、この蓄積部は受信され有線回線で送受信される情報形態に変換された中継データを蓄積することを特徴とする請求項１から請求項６又は請求項１３又は請求項１４のいずれかに記載の移動局装置。
【請求項１６】  前記中継送受信手段は、中継データを受信してから送信するまでの間に前記中継データを蓄積する蓄積部を有し、この蓄積部は受信され復調された中継データを蓄積することを特徴とする請求項１から請求項６又は請求項１３から請求項１５のいずれかに記載の移動局装置。
【請求項１７】  前記中継送受信手段は、中継データを受信してから送信するまでの間に前記中継データを蓄積する蓄積部を有し、この蓄積部は受信されベースバンド信号に変換された中継データを蓄積することを特徴とする請求項１から請求項６又は請求項１３から請求項１６のいずれかに記載の移動局装置。
【手続補正２】
【補正対象書類名】明細書
【補正対象項目名】０００８
【補正方法】変更
【補正の内容】
【０００８】
【発明の実施の形態】
本発明の第１の態様に係る移動局装置は、基地局装置と直接無線通信を行う送受信手段と、前記基地局装置の通信エリア外に位置する他の移動局装置と直接通信し前記基地局装置と前記他の移動局装置とのデータ送受信の中継を行うとともに、前記送受信手段の使用時間外にのみ動作し、前記使用時間外に前記中継が可能であることを前記基地局装置に通知する中継送受信手段と、を具備する構成を採る。
【手続補正３】
【補正対象書類名】明細書
【補正対象項目名】０００９
【補正方法】変更
【補正の内容】
【０００９】
この構成によれば、移動局装置がデータの送受信のみならず中継局の役割を果たすので、基地局装置の設置を必要とせずに、通信エリアを拡大させることができる。また、基地局側で、中継局として利用できる移動局装置を容易に把握できるため、システム全体のパフォーマンスが向上する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の第２の態様に係る移動局装置は、基地局装置と直接無線通信を行う送受信手段と、前記基地局装置の通信エリア外に位置する他の移動局装置と直接通信し前記基地局装置と前記他の移動局装置とのデータ送受信の中継を行うとともに、異なる通信スロットを使用して、同時に複数の他の移動局装置と前記基地局装置とのデータ送受信の中継を行う中継送受信手段と、を具備する構成を採る。
【手続補正７】
【補正対象書類名】明細書
【補正対象項目名】００１３
【補正方法】変更
【補正の内容】
【００１３】
この構成によれば、移動局装置がデータの送受信のみならず中継局の役割を果たすので、基地局装置の設置を必要とせずに、通信エリアを拡大させることができる。また、同じ数の通信エリア内の移動局装置を中継局として用いた場合に、より多くの通信エリア外の移動局装置をデータ送受信可能状態とすることができる。
【手続補正８】
【補正対象書類名】明細書
【補正対象項目名】００１４
【補正方法】変更
【補正の内容】
【００１４】
本発明の第３の態様に係る装置は、基地局装置と直接無線通信を行う送受信手段と、前記基地局装置の通信エリア外に位置する他の移動局装置と直接通信し前記基地局装置と前記他の移動局装置とのデータ送受信の中継を行うとともに、同一通信スロットを分割使用して、同時に複数の他の移動局装置と前記基地局装置とのデータ送受信の中継を行う中継送受信手段と、を具備する構成を採る。
【手続補正９】
【補正対象書類名】明細書
【補正対象項目名】００１５
【補正方法】変更
【補正の内容】
【００１５】
この構成によれば、移動局装置がデータの送受信のみならず中継局の役割を果たすので、基地局装置の設置を必要とせずに、通信エリアを拡大させることができる。また、同じ数の通信エリア内の移動局装置を中継局として用いた場合に、より多くの通信エリア外の移動局装置をデータ送受信可能状態とすることができる。
【手続補正１０】
【補正対象書類名】明細書
【補正対象項目名】００１６
【補正方法】変更
【補正の内容】
【００１６】
本発明の第４の態様に係る移動局装置は、第１の態様から第３の態様のいずれかにおいて、前記中継送受信手段は、まず、基地局とフレーム同期を確立した後、他の移動局とのフレーム同期を取る構成を採る。
【手続補正１１】
【補正対象書類名】明細書
【補正対象項目名】００１８
【補正方法】変更
【補正の内容】
【００１８】
本発明の第５の態様に係る移動局装置は、第４の態様において、前記中継送受信手段は、各通信フレーム内に設けられたアクセス用スロットのパターンを検出することにより、フレーム同期を取る構成を採る。
【手続補正１２】
【補正対象書類名】明細書
【補正対象項目名】００２０
【補正方法】変更
【補正の内容】
【００２０】
本発明の第６の態様に係る移動局装置は、通信可能な基地局装置がない場合に、通信可能な第１の態様における移動局装置を探索し、探索した移動局装置を中継して他の基地局装置との通信を行う構成を採る。
【手続補正１３】
【補正対象書類名】明細書
【補正対象項目名】００２２
【補正方法】変更
【補正の内容】
【００２２】
本発明の第７の態様に係る基地局装置は、移動局装置と直接無線通信を行う送受信手段と、通信エリア外に位置する他の移動局装置と直接通信し前記他の移動局装置とのデータ送受信の中継を行う移動局装置を探索する探索手段と、探索した移動局装置を中継して他の移動局装置との通信を行う構成を採る。
【手続補正１４】
【補正対象書類名】明細書
【補正対象項目名】００２４
【補正方法】変更
【補正の内容】
【００２４】
本発明の第８の態様に係る中継無線送受信方法は、基地局装置と移動局装置とが直接無線通信を行う一方、前記無線通信時間外に、前記移動局装置は前記基地局装置に対してデータ送受信の中継が可能であることを前記基地局装置に通知し、前記基地局と前記移動局装置との間に通信回線を確立しフレーム同期を取った後、前記移動局装置と前記基地局装置の通信エリア外に位置する他の移動局装置とが直接通信し前記基地局装置と前記他の移動局装置とのデータ送受信の中継を行うようにした。
【手続補正１５】
【補正対象書類名】明細書
【補正対象項目名】００２６
【補正方法】変更
【補正の内容】
【００２６】
本発明の第９の態様に係る中継無線送受信方法は、第８の態様において、前記基地局装置と前記他の移動局装置との間に複数の移動局装置を中継局として介在させ、前記複数の移動局装置間で順次フレーム同期を取り、前記基地局装置と前記他の移動局装置との通信を行うようにした。
【手続補正１６】
【補正対象書類名】明細書
【補正対象項目名】００２８
【補正方法】変更
【補正の内容】
【００２８】
本発明の第１０の態様に係る中継無線送受信方法は、第８の態様又は第９の態様において、前記移動局装置は、前記基地局装置及び前記他の移動局装置との間のデータ送受信の際に直交周波数分割多重処理を行うようにした。
【手続補正１７】
【補正対象書類名】明細書
【補正対象項目名】００３０
【補正方法】変更
【補正の内容】
【００３０】
本発明の第１１の態様に係る中継無線送受信方法は、第１０の態様において、前記直交周波数分割多重処理は、前記移動局装置からの送信成分を受信成分から除去した信号に対して行われるようにした。
【手続補正１８】
【補正対象書類名】明細書
【補正対象項目名】００３２
【補正方法】変更
【補正の内容】
【００３２】
本発明の第１２の態様に係る中継無線送受信方法は、第８の態様から第１１の態様のいずれかにおいて、中継局機能を提供した場合に、通常の通話について発生する課金を減算するようにした。
【手続補正１９】
【補正対象書類名】明細書
【補正対象項目名】００３４
【補正方法】変更
【補正の内容】
【００３４】
本発明の第１３の態様に係る移動局装置は、第１の態様から第６の態様のいずれかにおいて、前記中継送受信手段は、中継データを受信する通信スロットが、特定の単位時間内において、中継データを送信する通信スロットよりも前に設けられるようにスロットを割り当てる構成を採る。
【手続補正２０】
【補正対象書類名】明細書
【補正対象項目名】００３６
【補正方法】変更
【補正の内容】
【００３６】
本発明の第１４の態様に係る移動局装置は、第１の態様から第６の態様又は第１３の態様のいずれかにおいて、前記中継送受信手段は、同一通信スロットを分割使用して、同一通信スロット内で中継データの送受信を行う構成を採る。
【手続補正２１】
【補正対象書類名】明細書
【補正対象項目名】００３８
【補正方法】変更
【補正の内容】
【００３８】
本発明の第１５の態様に係る移動局装置は、第１の態様から第６の態様又は第１３の態様又は第１４の態様のいずれかにおいて、前記中継送受信手段は、中継データを受信してから送信するまでの間に前記中継データを蓄積する蓄積部を有し、この蓄積部は受信され有線回線で送受信される情報形態に変換された中継データを蓄積する構成を採る。
【手続補正２２】
【補正対象書類名】明細書
【補正対象項目名】００４０
【補正方法】変更
【補正の内容】
【００４０】
本発明の第１６の態様に係る移動局装置は、第１の態様から第６の態様又は第１３の態様から第１５の態様のいずれかにおいて、前記中継送受信手段は、中継データを受信してから送信するまでの間に前記中継データを蓄積する蓄積部を有し、この蓄積部は受信され復調された中継データを蓄積する構成を採る。
【手続補正２３】
【補正対象書類名】明細書
【補正対象項目名】００４２
【補正方法】変更
【補正の内容】
【００４２】
本発明の第１７の態様に係る移動局装置は、第１の態様から第６の態様又は第１３の態様から第１６の態様のいずれかにおいて、前記中継送受信手段は、中継データを受信してから送信するまでの間に前記中継データを蓄積する蓄積部を有し、この蓄積部は受信されベースバンド信号に変換された中継データを蓄積する構成を採る。